(57)【要約】【課題】複数の入力モードを適切に使い分けることで校正作業の効率を向上可能な校正情報処理装置、校正情報処理方法、プログラム及び電子校正システムを提供する。【解決手段】指定された関心領域１４０内の画像の特性に応じて、複数の入力モード（「テキスト」、「ペン」、「色情報」及び「音声」入力モード）の中から少なくとも１つの入力モードを選択する。【選択図】図６
2012221393.tif 000002
【特許請求の範囲】
【請求項１】
注釈情報の種類がそれぞれ異なる複数の入力モードを用いて、校正画像に対し複数種類の注釈情報を付与可能な校正情報処理装置であって、
前記校正画像における画像領域内の関心領域を指定する関心領域指定部と、
前記関心領域指定部により指定された前記関心領域内の画像の特性に応じて、前記複数の入力モードの中から少なくとも１つの入力モードを選択するモード選択部と
を有することを特徴とする校正情報処理装置。
【請求項２】
請求項１記載の校正情報処理装置において、
前記モード選択部により少なくとも２つの入力モードが選択された場合、ユーザによる操作に応じて１つの入力モードを決定する入力モード決定部をさらに有することを特徴とする校正情報処理装置。
【請求項３】
請求項１又は２に記載の校正情報処理装置において、
前記複数の入力モードでは、音声情報、テキスト情報、画像情報及び色情報のうちの少なくとも２種類の注釈情報を入力可能であることを特徴とする校正情報処理装置。
【請求項４】
請求項１〜３のいずれか１項に記載の校正情報処理装置において、
前記画像の特性は、所定の算出手法に従った画像特徴量であることを特徴とする校正情報処理装置。
【請求項５】
注釈情報の種類がそれぞれ異なる複数の入力モードを用いて、校正画像に対し複数種類の注釈情報を付与可能な装置を用いた校正情報処理方法であって、
前記校正画像における画像領域内の関心領域を指定する指定ステップと、
指定された前記関心領域内の画像の特性に応じて、前記複数の入力モードの中から少なくとも１つの入力モードを選択する選択ステップと
を備えることを特徴とする校正情報処理方法。
【請求項６】
注釈情報の種類がそれぞれ異なる複数の入力モードを用いて、校正画像に対し複数種類の注釈情報を付与可能な装置を、
前記校正画像における画像領域内の関心領域を指定する関心領域指定部、
前記関心領域指定部により指定された前記関心領域内の画像の特性に応じて、前記複数の入力モードの中から少なくとも１つの入力モードを選択するモード選択部
として機能させることを特徴とするプログラム。
【請求項７】
請求項１〜４のいずれか１項に記載の少なくとも１つの校正情報処理装置と、前記校正情報処理装置と相互に通信可能であって前記校正画像を表す校正データ及び前記注釈情報を記憶可能なサーバ装置とを有することを特徴とする電子校正システム。
【発明の詳細な説明】
【技術分野】
【０００１】
この発明は、注釈情報の種類がそれぞれ異なる複数の入力モードを用いて、校正画像に対し複数種類の注釈情報を付与可能な校正情報処理装置、並びにこの装置を用いた校正情報処理方法、プログラム及び電子校正システムに関する。
【背景技術】
【０００２】
近時、印刷分野において、印刷会社等の製作側で作成された校正データや、発注会社等の出版企画側での修正指示情報を、地理的に離れた各担当者に通信回線を経由して送受信することで、色校正紙の遣り取りを省略するリモートプルーフを実現する電子校正システムが普及しつつある。そして、この電子校正システムに、表示部、タッチパネル及び録音再生機構を組み込んだ携帯可能な情報処理装置を導入することで、一層の利便性が図られるものと期待される。
【０００３】
例えば、特許文献１及び２には、音声入力により注釈情報を付与する技術がそれぞれ提案されている。このとき、ユーザは、自らの手（指）を動かす必要がなく、且つ、筆記やタイプの場合と比べて、多くの情報量を短時間で入力可能であるという利点がある。
【先行技術文献】
【特許文献】
【０００４】
【特許文献１】特開２００３−６１８８号公報
【特許文献２】特開２００２−３５８５３２号公報
【発明の概要】
【発明が解決しようとする課題】
【０００５】
ところで、日本語に関し、同音異義語の誤り（漢字の使用誤り）を指摘する場合、音声では発音の差異を区別できないため、指示内容が的確に伝わらない。一方、筆記（画像入力）やタイプ（テキスト入力）により文字を直接入力することで、指示内容を的確に伝達できる。このように、注釈情報の種類が異なる各入力モードの優劣は、画像の特性及び指示内容に応じて異なってくる。
【０００６】
しかしながら、特許文献１及び２に記載された装置及び方法では、複数の入力モードを使い分けることが困難であった。また、複数の入力モードを使い分けようとしても、モードの選択自体に時間を要するため効率的ではなかった。
【０００７】
本発明は上記した問題を解決するためになされたもので、複数の入力モードを適切に使い分けることで校正作業の効率を向上可能な校正情報処理装置、校正情報処理方法、プログラム及び電子校正システムを提供することを目的とする。
【課題を解決するための手段】
【０００８】
本発明は、注釈情報の種類がそれぞれ異なる複数の入力モードを用いて、校正画像に対し複数種類の注釈情報を付与可能な校正情報処理装置に関する。
【０００９】
前記校正画像における画像領域内の関心領域を指定する関心領域指定部と、前記関心領域指定部により指定された前記関心領域内の画像の特性に応じて、前記複数の入力モードの中から少なくとも１つの入力モードを選択するモード選択部とを有することを特徴とする。
【００１０】
このように、指定された関心領域内の画像の特性に応じて、複数の入力モードの中から少なくとも１つの入力モードを選択するようにしたので、複数の入力モードを適切に使い分けることが可能であり、その結果、校正作業の効率を向上できる。
【００１１】
また、前記モード選択部により少なくとも２つの入力モードが選択された場合、ユーザによる操作に応じて１つの入力モードを決定する入力モード決定部をさらに有することが好ましい。
【００１２】
さらに、前記複数の入力モードでは、音声情報、テキスト情報、画像情報及び色情報のうちの少なくとも２種類の注釈情報を入力可能であることが好ましい。
【００１３】
さらに、前記画像の特性は、所定の算出手法に従った画像特徴量であることが好ましい。
【００１４】
本発明に係る校正情報処理方法は、注釈情報の種類がそれぞれ異なる複数の入力モードを用いて、校正画像に対し複数種類の注釈情報を付与可能な装置を用いた方法であって、前記校正画像における画像領域内の関心領域を指定する指定ステップと、指定された前記関心領域内の画像の特性に応じて、前記複数の入力モードの中から少なくとも１つの入力モードを選択する選択ステップとを備えることを特徴とする。
【００１５】
本発明に係るプログラムは、注釈情報の種類がそれぞれ異なる複数の入力モードを用いて、校正画像に対し複数種類の注釈情報を付与可能な装置を、前記校正画像における画像領域内の関心領域を指定する関心領域指定部、前記関心領域指定部により指定された前記関心領域内の画像の特性に応じて、前記複数の入力モードの中から少なくとも１つの入力モードを選択するモード選択部として機能させることを特徴とする。
【００１６】
本発明に係る電子校正システムは、上記したいずれかの、少なくとも１つの校正情報処理装置と、前記校正情報処理装置と相互に通信可能であって前記校正画像を表す校正データ及び前記注釈情報を記憶可能なサーバ装置とを有することを特徴とする。
【発明の効果】
【００１７】
本発明に係る校正情報処理装置、校正情報処理方法、プログラム及び電子校正システムによれば、指定された関心領域内の画像の特性に応じて、複数の入力モードの中から少なくとも１つの入力モードを選択するようにしたので、複数の入力モードを適切に使い分けることが可能であり、その結果、校正作業の効率を向上できる。
【図面の簡単な説明】
【００１８】
【図１】本実施の形態に係る電子校正システムとしての印刷物生産システムの全体構成図である。
【図２】図１に示す印刷会社内のシステム構成図である。
【図３】図１に示す情報処理装置の機能ブロック図である。
【図４】図１に示す印刷物生産システムを用いた印刷物生産工程を説明するフローチャートである。
【図５】図４のステップＳ５における、情報処理装置の動作説明に供されるフローチャートである。
【図６】図６Ａ及び図６Ｂは、校正画像に対して注釈情報を付与する際の画面遷移を表す概略説明図である。
【図７】図７Ａ及び図７Ｂは、校正画像に対して注釈情報を付与する際の画面遷移を表す概略説明図である。
【図８】アイコンの別の配置例を表す概略説明図である。
【図９】注釈情報が付与された校正画像を閲覧する際の画面遷移を表す概略説明図である。
【図１０】図１０Ａ及び図１０Ｂは、注釈情報が付与された校正画像を閲覧する際の画面遷移を表す概略説明図である。
【発明を実施するための形態】
【００１９】
以下、本発明に係る校正情報処理方法について、これを実施する校正情報処理装置及び電子校正システムとの関係において好適な実施形態を挙げ、添付の図面を参照して説明する。
【００２０】
図１は、本実施の形態に係る印刷物生産システム１０（電子校正システム）の全体構成を示している。
【００２１】
この印刷物生産システム１０は、校正者等が所属する広告代理店又はクライアント（会社）等の印刷物の発注会社１２と、デザイナ等が所属する制作会社１４と、印刷オペレータ等が所属する印刷会社１６との間で、ＬＡＮ（Local Area Network）或いはＷＡＮ（Wide Area Network）等のネットワーク１８を介して構築されたシステムである。各プレーヤーの構成は、本図に限定されるものではなく、例えば、制作会社１４と印刷会社１６とが同一の会社等とされることもある。
【００２２】
発注会社１２内には、ネットワーク１８とＬＡＮ２０との間の接続を中継する機器であるゲートウェイ２２と、印刷会社１６側から送信された校正データを基に校正を行うための校正者端末２４と、校正者端末２４から送信された校正データに基づいてプルーフ２６を印刷するプリンタ２８と、発注会社１２内に構築される無線ＬＡＮの中継機器である無線ＬＡＮルータ３０と、無線ＬＡＮルータ３０を介して校正データ等を取得可能な２台の情報処理装置３２ａ、３２ｂ（校正情報処理装置）とが配置されている。
【００２３】
なお、本明細書では、初校、再校、再々校、及び校了の際に発生する印刷用データを総称して「校正データ」という。
【００２４】
制作会社１４内には、ネットワーク１８とＬＡＮ３４との間の接続を中継する機器であるゲートウェイ３６と、印刷会社１６側から送信された校正データを基に校正を行うためのデザイナ端末３８と、デザイナ端末３８から送信された校正データに基づいてプルーフ４０を印刷するプリンタ４１と、制作会社１４内に構築される無線ＬＡＮの中継機器である無線ＬＡＮルータ４２と、無線ＬＡＮルータ４２を介して校正データ等を取得可能な１台の情報処理装置４４（校正情報処理装置）とが配置されている。
【００２５】
図２は、図１に示す印刷会社１６内のシステム構成図である。
【００２６】
印刷会社１６内には、ネットワーク１８とＬＡＮ５０との間の接続を中継する機器であるゲートウェイ５２と、ＬＡＮ２０、３４を含む外部ネットワークに属する各端末からネットワーク１８を介してアクセス可能なリモートサーバ５４（サーバ装置）と、印刷に要する各種作業を行うためのオペレータ端末５６と、リモートサーバ５４から送信された校正データ（又は製版データ）に基づいてラスタライズ処理や色変換処理等の各画像処理を実行するＲＩＰ装置５８と、ＲＩＰ装置５８から送信された処理済みの校正データに基づいてプルーフ６０を印刷可能であるＤＤＣＰ（Direct Digital Color Proofing）６２と、図示しない刷版を装着して印刷物６４を印刷可能であるオフセット印刷機６６とが配置されている。
【００２７】
リモートサーバ５４は、印刷物生産システム１０におけるワークフロー管理の中核をなす装置である。リモートサーバ５４は、校正者端末２４、デザイナ端末３８、及び情報処理装置３２ａ、３２ｂ、４４にネットワーク１８を介してそれぞれ接続される。一方、リモートサーバ５４は、ＬＡＮ５０を介して、オペレータ端末５６及びＲＩＰ装置５８に接続される。
【００２８】
本実施の形態において、リモートサーバ５４は、各端末、各ユーザ、又は各ジョブにおいて実行可能なタスク権限を管理する権限管理サーバ６８としての機能と、素材データ、校正データ、製版データ及びこれらに付随する各種データファイルの格納・転送を司るファイルサーバ７０としての機能と、各工程の開始・終了等の所定のタイミングで通知メールを生成・配信するメールサーバ７２としての機能とを担う。
【００２９】
権限管理サーバ６８は、印刷物生産システム１０の運用に関する各種設定を登録し、その登録情報に従って本システムを運用させる。登録情報には、ファイルサーバ７０へのアクセス権限、ファイルサーバ７０に保存された各種データの読出し／書込み権限、メールサーバ７２からの通知メールの送信先等が含まれる。具体例として、後述する電子校正に関して、校正画像を閲覧する権限、校正画像に注釈情報を付与する権限、校正データを修正・更新する権限、校了の承認権限等が、各担当者に割り当てられる。
【００３０】
ファイルサーバ７０は、権限管理サーバ６８での登録情報に従って、印刷物６４の生産に必要な各種データファイルを保存、更新、削除等する。各種データファイルには、制作会社１４からの素材データ、校正データ、製版データ、ジョブチケット｛例えば、ＪＤＦ（Job Definition Format）ファイル｝、ＩＣＣ（International Color Consortium）プロファイル、色見本データ等が含まれる。
【００３１】
メールサーバ７２は、権限管理サーバ６８での登録情報に従って、通知メールを所定の端末（ユーザ）に対して適時に送信する。送信タイミングとして、例えば、入稿の通知、プリフライト処理の実行通知、校正開始／終了の旨の通知、承認の通知、校正完了の通知等が挙げられる。この通知により、各担当者は、各工程の進捗状況を適時に確認できる。
【００３２】
ＲＩＰ装置５８は、少なくとも１つの印刷機に対する印刷処理サーバとして機能する。図２例では、ＲＩＰ装置５８には、ＤＤＣＰ６２と、オフセット印刷機６６とが電気的に接続されている。この場合、ＲＩＰ装置５８は、ページ記述言語で記述された校了データを各印刷機に応じた網点データに変換し、前記網点データをＤＤＣＰ６２（又はオフセット印刷機６６）に供給する。
【００３３】
ＤＤＣＰ６２は、ＲＩＰ装置５８から供給された網点データに基づいてプルーフ６０を印刷する。プルーファとして、ＤＤＣＰ６２に代替して、インクジェットカラープルーファ、低解像度のカラーレーザプリンタ（電子写真方式）やインクジェットプリンタ等を用いてもよい。
【００３４】
オフセット印刷機６６は、ＲＩＰ装置５８から供給された網点データに基づいて印刷物６４を印刷する。なお、オフセット印刷機６６に代替して、ダイレクト印刷のためのデジタル印刷機を設けてもよい。デジタル印刷機としては、インクジェットカラープルーファやカラーレーザプリンタ（電子写真方式）等を用いてもよい。
【００３５】
図１及び図２に示すように、クライアント装置としての校正者端末２４、デザイナ端末３８、及びオペレータ端末５６は、ＣＰＵ、ＲＯＭ、ＲＡＭ等を備える本体部２４ａ、３８ａ、５６ａと、表示部２４ｂ、３８ｂ、５６ｂと、ポインティングデバイス・キーボード等からなる入力部２４ｃ、３８ｃ、５６ｃをそれぞれ備えている。
【００３６】
本実施の形態では、クライアント装置として、タッチペン７４（又はユーザの指先）を用いて筆記入力が可能である情報処理装置３２ａ、３２ｂ、４４を適用している。
【００３７】
図３は、図１に示す情報処理装置３２ａの機能ブロックである。ＣＰＵ等からなる制御部（不図示）は、ＲＯＭ、ＲＡＭ等の記録媒体（不図示）に格納されたプログラムを読み出し実行することで、これらの機能を実現可能である。なお、情報処理装置３２ｂ、４４についても、図３と同様の構成であるとする。
【００３８】
情報処理装置３２ａは、外部装置からの電気信号を送受信する通信部８０と、通信部８０から受信された校正データに対して表示に適した各種信号処理を施す画像信号処理部８２と、画像信号処理部８２により信号処理された校正データから表示制御信号を生成する表示制御部８４と、表示制御部８４により生成された表示制御信号に基づいて画像（校正画像や注釈情報を含む。）を表示する表示部８６と、タッチペン７４と表示部８６との接触部位を検出することで筆記入力する筆記入力部８８と、筆記入力部８８からの筆記入力の特徴に基づいて筆記情報（ユーザの指示や入力内容を含む。）を解釈する筆記情報解釈部９０と、筆記情報解釈部９０により解釈された筆記情報に応じた図形、アイコン等の表示用画像を作成する画像作成部９２と、筆記情報解釈部９０により解釈された筆記情報等を格納するデータ格納部９４と、注釈情報としての音声情報を入出力等する音声情報処理部９６と、複数の入力モードの中から少なくとも１つの入力モード（以下、推奨モードという場合がある。）を選択するモード選択部９８とを備える。
【００３９】
ここで、注釈情報には、文字、図形、記号、模様、色彩又はこれらを組み合わせた画像情報、ＡＳＣＩＩ等の文字コードを組み合わせたテキスト情報のみならず、音声情報、色情報、映像情報等が含まれる。本実施の形態では、テキスト入力モード、ペン入力モード、色情報入力モード、及び音声入力モードの４つの入力モードが用意されている。入力モードの数はこれに限定されることなく、音声情報、テキスト情報、画像情報及び色情報のうちの少なくとも２種類の注釈情報を入力可能であればよい。
【００４０】
画像信号処理部８２は、画像の拡縮処理、トリム処理、ガンマ変換処理、ＩＣＣプロファイルによるカラーマッチング処理、画像のエンコード処理・デコード処理等を含む信号処理を適宜行う。
【００４１】
表示部８６は、カラー表示可能な表示モジュールであり、液晶パネル、有機ＥＬ（Electro-Luminescence）、無機ＥＬパネル等で構成されてもよい。筆記入力部８８は、表示部８６を介して直接入力可能なタッチパネル検出器である。検出方式としては、抵抗膜方式、静電容量方式、赤外線方式、電磁誘導方式、静電結合方式等を含む種々の方式を用いてもよい。
【００４２】
筆記情報解釈部９０は、校正画像１２２（図６Ａ参照）における画像領域内の関心領域１４０（同図参照）を指定する関心領域指定部１００と、文字情報をテキスト形式で入力するテキスト入力部１０２（第１の入力部）と、文字情報を画像形式で入力する画像入力部１０３（第２の入力部）と、指定色に関する情報を入力する指定色入力部１０４（第３の入力部）と、モード選択部９８により選択された入力モードの中から１つの入力モードを決定する入力モード決定部１０６とを備える。
【００４３】
データ格納部９４は、ＲＡＭ等のメモリで構成されている。データ格納部９４は、校正画像１２２を表す校正データを格納する校正画像格納部１０８と、注釈情報データ及びその一時データを格納する注釈情報格納部１１０とを備える。
【００４４】
音声情報処理部９６は、外部からの音声を電気的な信号（以下、音声信号という。）として入力する音声信号入力部１１２（第４の入力部；いわゆるマイクユニット）と、取得された音声信号を外部に出力する音声信号出力部１１４（いわゆるスピーカユニット）とを備える。マイク（マイクロフォン）の方式として、コンデンサマイク、エレクトレットコンデンサマイクを含む静電型マイク、圧電マイク、カーボンマイク、骨伝導マイク、動電型マイク等を含む種々の方式を適用できる。スピーカの方式として、振動板を振動させて音波を出力するダイナミック型を含む種々の方式を適用できる。なお、マイク（及び／又はスピーカ）は、図示しない接続端子を介して外付け可能に構成されてもよい。
【００４５】
モード選択部９８は、入力モードを少なくとも１つ選択する機能の他、関心領域指定部１００により指定された関心領域１４０内の画像の特徴を解析する関心領域解析部１１６をさらに備える。
【００４６】
本実施の形態に係る印刷物生産システム１０は以上のように構成される。続いて、印刷物６４を生産するワークフロー及び印刷物生産システム１０の動作について、図４及び図５を参照しながら説明する。
【００４７】
先ず、印刷会社１６に所属する印刷オペレータは、入稿された素材データを編集してＤＴＰ処理を行う（ステップＳ１）。ＤＴＰ処理に先立ち、制作会社１４に属するデザイナは、デザイナ端末３８を用いて、印刷物６４のコンテンツに相当する素材データを作成する。入稿権限を有するデザイナによる送信指示に応じて、デザイナ端末３８は、ファイルサーバ７０（リモートサーバ５４）を送信先に指定して前記素材データを送信する。そうすると、ファイルサーバ７０は、ＬＡＮ３４、ゲートウェイ３６、ネットワーク１８、及びゲートウェイ５２を介して、素材データを受信して記憶する。
【００４８】
そして、印刷オペレータは、オペレータ端末５６を用いて、素材データの入手、プリフライト処理、及び組版等の必要な作業を行う。このとき、オペレータ端末５６は、ＬＡＮ５０を介して、ファイルサーバ７０から（に）データファイルを適宜受信（送信）してもよい。
【００４９】
次いで、ユーザとしての校正者は、メールサーバ７２（リモートサーバ５４）から、校正作業の依頼の旨の通知メールを受け取る（ステップＳ２）。ここで、校正者は、発注会社１２、制作会社１４、印刷会社１６のいずれに属してもよい。本実施の形態では、例えば、発注会社１２側の校正者による校正作業について例示するが、この形態に限られない。例えば、校正者端末２４（本体部２４ａ）は、ネットワーク１８、ゲートウェイ２２、ＬＡＮ２０を介して、メールサーバ７２からの通知メールを受信する。
【００５０】
次いで、校正者は、ファイルサーバ７０から校正データ（初校）をダウンロードし、校正データの確認を行う（ステップＳ３）。例えば、校正者端末２４（本体部２４ａ）は、ネットワーク１８等を介して印刷会社１６から校正データを取得し、プリンタ２８での印刷に適した所定の信号処理を施す。そして、プリンタ２８は、信号処理済みの印刷データを取得し、該印刷データに基づいてプルーフ２６を印刷する。そして、校正者は、プルーフ２６を観察し、種々の校正作業を行う。
【００５１】
次いで、校正者は、校正データに対して修正が必要か否かを判断する（ステップＳ４）。修正が必要であると判断した場合、校正者は、デザイナに対して修正指示を行う（ステップＳ５）。本実施の形態に係る電子校正システムでは、情報処理装置３２ａ等を用いて付与された注釈情報（アノテーション）をファイルサーバ７０に登録することで、校正画像を閲覧する権限を有するデザイナは、修正指示の内容を閲覧可能となる。例えば、校正者から、ページの内容を承認しない旨の指示をリモートサーバ５４側に送信すると、メールサーバ７２は、デザイナに通知メールを送信する。
【００５２】
以下、ステップＳ５における情報処理装置３２ａの動作（具体的には、注釈情報の付与）について、図５のフローチャート及び図３の機能ブロック図を参照しながら詳細に説明する。
【００５３】
先ず、情報処理装置３２ａは、校正者による所定の操作に応じて、注釈モードに移行する（ステップＳ５１）。校正データのダウンロード指示に応じて、通信部８０は、印刷会社１６からの校正データを受信する。そして、画像信号処理部８２は、校正データに対して、表示部８６への表示に適した所望の信号処理を施す。そして、表示制御部８４は、信号処理された校正データから表示制御信号を生成し、該表示制御信号に基づいて表示部８６（表示画面１２０上）に校正画像１２２を表示させる。
【００５４】
図６Ａ及び図６Ｂは、校正画像１２２に対して注釈情報を付与する際の画面遷移を表す概略説明図である。
【００５５】
表示部８６の表示画面１２０には、校正画像１２２（本図では、正面視の女性の顔画像）が略全面に表示されている。また、表示画面１２０の左下隅部には、校正画像１２２に重畳して、アイコン１２４が表示されている。このアイコン１２４は、タッチの回数に応じて編集モードを切り替える第１アイコン１２６と、筆記モード・消しゴムモードに切り替える第２アイコン１２８と、校正作業の終了・設定の保存を指示する第３アイコン１３０とから構成される。例えば、校正者による所定の操作、例えば、第１アイコン１２６を所定の回数だけタッチすることで、注釈モード（ここでは、［ＡＵＴＯ］と表記された自動選択モード）が選択される。また、第２アイコン１２８を所定の回数だけタッチすることで、筆記モードが選択される。
【００５６】
なお、タッチペン７４（又はユーザの指先）によるタッチ操作に応じて、表示部８６の表示内容が適時に更新される。この機能は、筆記入力部８８による検出処理、筆記情報解釈部９０による筆記情報の解釈処理、画像作成部９２による画像の作成・更新処理、表示制御部８４による表示制御、及び表示部８６による更新表示を経ることで実現される。
【００５７】
次いで、校正者による所定の操作に応じて、関心領域指定部１００は、関心領域１４０を指定する（ステップＳ５２）。具体的には、図６Ａに示すように、校正者は、タッチペン７４を用いて、表示画面１２０上の開始位置１３２をタッチした状態で、破線で示す軌跡１３４に沿って終了位置１３６まで表示画面１２０をなぞる。そうすると、表示画面１２０の中央左方部には、校正画像１２２に重畳して、軌跡１３４を対角線とする矩形枠１３８が表示される。ここで、矩形枠１３８で囲まれた画像領域は、修正指示を行おうとする関心領域１４０に相当する。
【００５８】
筆記情報解釈部９０は、筆記入力部８８から検出された入力内容と、現在指定されている各種モード（注釈モード及び筆記モード）との組合せから、関心領域１４０を抽出したものと解釈する。
【００５９】
次いで、関心領域解析部１１６は、関心領域１４０内の画像を解析する（ステップＳ５３）。具体的には、関心領域解析部１１６は、ステップＳ５２で指定された関心領域１４０内の画像（又は付随する各種情報）に対して解析処理を施すことで、画像の特性、具体的には、所定の算出手法に従った画像特徴量及び／又は画像の属性を取得する。ここで、画像特徴量には、空間周波数特性、色の分布、色の統計値（具体的には、平均値、標準偏差、分散等）、オブジェクトとの相関性（テンプレート画像との一致度）が含まれる。また、画像の属性には、ドキュメント、ＣＧ、イラスト、写真（更には、人物画、風景画等）等を含む画像の種類や、ジョブチケット等の付帯情報が含まれる。
【００６０】
図６Ａ例において、校正画像１２２の被写体の女性が黄色人種である場合、関心領域１４０内（顔部）に略黄色の肌色が多く分布している。この場合、関心領域解析部１１６は、関心領域１４０内において色の均一性が高い、という解析結果を得る。
【００６１】
次いで、モード選択部９８は、複数の入力モードの中から推奨モードを少なくとも１つ選択する（ステップＳ５４）。具体的には、モード選択部９８は、ステップＳ５３での「色の均一性が高い」旨の解析結果に基づいて、「関心領域１４０に付与しようとする注釈情報は、『色の修正指示』に関する情報である。」と推定する。そして、モード選択部９８は、色の修正指示に適した入力モード、すなわち推奨モードとして、例えば「色情報」及び「音声」入力モードを選択する。なお、モード選択部９８により選択される推奨モードの数は、複数であってもよいし１つであってもよい。複数の場合は校正者にとって選択肢が増加するという観点で好ましく、１つの場合は校正者による選択操作が不要になるという観点で好ましい。
【００６２】
次いで、表示制御部８４は、ステップＳ５４で選択された推奨モードの種類を表示画面１２０上に表示させる（ステップＳ５５）。
【００６３】
図６Ｂ例では、ウィンドウ１４２（表示画面１２０の中央下部）が、校正画像１２２上に重ねて表示されている。ウィンドウ１４２には、カラーパッチの形状を模擬したモードアイコン１４４と、マイクの形態を模擬したモードアイコン１４６とがそれぞれ配置されている。
【００６４】
次いで、筆記情報解釈部９０は、入力モードの決定指示を受け付けたか否かを判別する（ステップＳ５６）。具体的には、筆記情報解釈部９０は、モードアイコン１４４、１４６のタッチ操作があったか否かを判別する。タッチ操作がなかったと判別された場合は、上記したタッチ操作を受け付けるまでステップＳ５６に留まる。一方、タッチ操作があったと判別された場合、次のステップ（Ｓ５７）に進む。
【００６５】
次いで、入力モード決定部１０６は、校正者による操作に応じて、関心領域１４０に付与する注釈情報の入力モードを決定する（ステップＳ５７）。具体的には、入力モード決定部１０６は、モードアイコン１４４（図６Ｂ参照）がタッチされた場合に「色情報」入力モードに決定し、モードアイコン１４６（同図参照）がタッチされた場合に「音声」入力モードに決定する。
【００６６】
次いで、ステップＳ５７で決定された入力モードに応じて、情報処理装置３２ａは、注釈情報を入力する（ステップＳ５８）。「色情報」入力モードの場合、指定色入力部１０４は、筆記入力部８８を介して、注釈情報としての色情報を入力する。「音声」入力モードの場合、音声信号入力部１１２を介して、注釈情報としての音声信号を入力する。
【００６７】
次いで、筆記情報解釈部９０は、設定保存の指示を受け付けたか否かを判別する（ステップＳ５９）。具体的には、筆記情報解釈部９０は、第３アイコン１３０のタッチ操作があったか否かを判別する。タッチ操作がなかったと判別された場合、ステップＳ５２に戻って、以下、ステップＳ５２〜Ｓ５８を繰り返す。
【００６８】
一方、タッチ操作があったと判別された場合、情報処理装置３２ａは、注釈情報をリモートサーバ５４側に送信する（ステップＳ６０）。具体的には、注釈情報格納部１１０は、校正画像１２２における関心領域１４０の位置・サイズ情報のみならず、色情報（又は音声信号）をも注釈情報データとして一時的に格納する。
【００６９】
そして、情報処理装置３２ａは、通信部８０を介して、注釈情報データを所定の宛先（リモートサーバ５４）に送信する。そして、リモートサーバ５４は、無線ＬＡＮルータ３０、ＬＡＮ２０、ゲートウェイ２２、ネットワーク１８、及びゲートウェイ５２を介して、注釈情報データを受信する。そして、ファイルサーバ７０は、この注釈情報データを校正データに対応付けて記憶する。
【００７０】
このようにして、校正者は、修正指示を電子的に行う（ステップＳ５）。
【００７１】
ところで、修正指示の入力方法は、図６Ａ及び図６Ｂ例に限られることなく、校正画像１２２の属性、関心領域１４０の指定範囲、校正者の嗜好等に応じて種々の形態を採り得る。
【００７２】
図７Ａ及び図７Ｂは、校正画像１４８に対して注釈情報を付与する際の画面遷移を表す概略説明図である。
【００７３】
表示部８６の表示画面１２０には、図６Ａ等とは異なる校正画像１４８（本図では、雑誌のページ画像）が略全面に表示されている。ここで、矩形枠１５０で囲まれた関心領域１５２が指定されたとする（ステップＳ５２）。本図では、関心領域１５２内に、白色（背景部）及び黒色（文字部）の２色が多く分布している。この場合、関心領域解析部１１６は、関心領域１５２内において文字情報が多く含まれている、という解析結果を得る（ステップＳ５３）。
【００７４】
そして、モード選択部９８は、「関心領域１５２に付与しようとする注釈情報は、『文字の修正指示』に関する情報である。」と推定する。そして、モード選択部９８は、文字の修正指示に適した入力モード、すなわち推奨モードとして、例えば「テキスト」及び「ペン」入力モードを選択する（ステップＳ５４）。
【００７５】
その結果、図７Ｂに示すように、ウィンドウ１５４（表示画面１２０の中央下部）が、校正画像１４８上に重ねて表示される（ステップＳ５５）。ウィンドウ１５４には、「Ａ」の文字が表記されたモードアイコン１５６と、タッチペン７４の形態を模擬したモードアイコン１５８とがそれぞれ配置されている。
【００７６】
この場合、モードアイコン１５６のタッチ操作に応じて「テキスト」入力モードに決定され、あるいは、モードアイコン１５８のタッチ操作に応じて「ペン」入力モードに決定される（ステップＳ５６、Ｓ５７）。「テキスト」入力モードの場合、テキスト入力部１０２は、筆記入力部８８を介して、注釈情報としてのテキスト情報を入力する（ステップＳ５８）。「ペン」入力モードの場合、画像入力部１０３は、筆記入力部８８を介して、注釈情報としての画像情報を入力する（同）。
【００７７】
また、上記した方法を用いて、入力モードの種類を自動的に決定してもよいし、作業者の操作により手動で決定してもよい。例えば、図８に示すように、第１アイコン１２６を適宜タッチすることで、自動選択モード（ＡＵＴＯ）以外の所望の入力モードを適宜呼び出してもよい。また、アイコン１２４と併せて、筆記入力での各種指示内容を選択可能である筆記メニュー１６０（表示画面１２０の右下隅部）を配置してもよい。
【００７８】
図４に戻って、制作会社１４に所属するデザイナは、メールサーバ７２から、色の修正指示があった旨の通知メールを受け取る（ステップＳ６）。例えば、デザイナ端末３８（本体部３８ａ）は、ネットワーク１８、ゲートウェイ３６、ＬＡＮ３４を介して、メールサーバ７２からの通知メールを受信する。
【００７９】
次いで、デザイナは、校正データの修正を行う（ステップＳ７）。校正データを注釈情報と併せて閲覧し、校正者からの修正の指示内容を確認する。校正画像１２２を閲覧するために、デザイナ端末３８又は情報処理装置４４のいずれを用いてもよい。例えば、情報処理装置４４を用いて閲覧する場合について説明する。
【００８０】
図９に示すように、校正画像１２２の関心領域１４０に対応する位置に、矩形枠１３８（図６Ａ参照）と同じ位置及びサイズである破線状の矩形枠１６２が表示されている。矩形枠１６２の右上部には、三角形状のマーク１６４が表示されている。このマーク１６４のタッチ操作に応じて、図１０Ａ及び図１０Ｂに示すように、関心領域１４０の右側に、校正者からの修正の指示内容を表す注釈画像１６６（又は操作画像１７２）が表示される。
【００８１】
図１０Ａは、「色情報」入力モードで付与された注釈情報を表す注釈画像１６６の表示例である。
【００８２】
注釈画像１６６は、指定色に着色されたカラーパッチ１６８と、該カラーパッチ１６８の下方に配置された色情報欄１７０とからなる。色情報欄１７０には、修正色（カラーパッチ１６８の表示色）に関する色情報が併せて表記されている。本図例では、ＲＧＢ色値が表示されているが、これに限定されることなく、三刺激値ＸＹＺ、均等色空間上の色値Ｌ＊ａ＊ｂ＊等のデバイス非依存データ、ＣＭＹＫ値等のデバイス依存データ、あるいは色見本の製造業者名、番号等であってもよい。
【００８３】
デザイナは、この色情報欄１７０を参照しながら、デザイナ端末３８を用いて、校正データの色修正を行う。この指示方法によれば、「顔の赤みを僅かに消して下さい。」等の抽象的な指示よりも具体的であるので、デザイナは、指示内容を容易に把握できる。
【００８４】
図１０Ｂは、「音声」入力モードで付与された注釈情報を音声で再現するための操作画像１７２の表示例である。
【００８５】
操作画像１７２は、音声信号出力部１１４からの音量の大きさを可視化する音量ゲージ１７４と、音声Ｖの再生・停止を指示可能なボタン１７６とからなる。これにより、音声信号出力部１１４から出力される音声Ｖを制御できる。
【００８６】
デザイナは、この音声Ｖを参照しながら、デザイナ端末３８を用いて、校正データの色修正を行う。この指示方法によれば、校正者は、単なる指示のみならず情報量が多い傾向がある意向・意見等をも併せて伝達できる。
【００８７】
また、マーク１７８（図１０Ａ及び図１０Ｂ参照）のタッチ操作に応じて、注釈画像１６６（又は操作画像１７２）は非表示になり、図９に示す表示画面１２０に遷移する。このように、注釈画像１６６（又は操作画像１７２）の表示／非表示を切り替え可能に構成することで、必要に応じた選択的な表示が可能である。校正画像１２２上に複数の修正指示が存在する場合、作業者にとって便宜である。
【００８８】
このようにして、デザイナ端末３８は、色が修正された校正データ（再校データ）を作成し、リモートサーバ５４側に送信する。そうすると、リモートサーバ５４は、無線ＬＡＮルータ４２、ＬＡＮ３４、ゲートウェイ３６、ネットワーク１８、及びゲートウェイ５２を介して再校データを受信する。そして、ファイルサーバ７０は、この再校データを記憶する。
【００８９】
デザイナによる色修正が完了した場合、ステップＳ２に戻って、校正者は、リモートサーバ５４（メールサーバ７２）から、通知メールを受け取る（ステップＳ２）。
【００９０】
以下、同様に、ステップＳ２〜Ｓ７を繰り返し、校正作業（再校、再々校）を行う。修正の必要がないと判断すると（すなわち、関与する全校正者がページの内容を承認する旨の指示をリモートサーバ５４側に通知した場合）、ファイルサーバ７０は、最後に更新された校正データを校了データとして記憶する。例えば、校了データの保存をトリガとして、印刷会社１６に所属する印刷オペレータは、メールサーバ７２から通知メールを受け取る（ステップＳ８）。オペレータ端末５６（本体部５６ａ）は、ＬＡＮ５０を介して、メールサーバ７２からの通知メールを受信する。
【００９１】
次いで、印刷会社１６に所属する印刷オペレータは、校了データに基づいて、印刷物６４の生産を行う（ステップＳ９）。具体的には、印刷オペレータは、ＤＤＣＰ６２にプルーフ６０を印刷させ、校正を行う。その後、刷版を作成し、オフセット印刷機６６を用いて印刷物６４を生産する。
【００９２】
以上のように、指定された関心領域１４０、１５２内の画像の特性に応じて、複数の入力モード（テキスト入力部１０２、画像入力部１０３、指定色入力部１０４、及び音声信号入力部１１２を介した入力モード）の中から少なくとも１つの入力モードを選択するようにしたので、複数の入力モードを適切に使い分けることが可能であり、その結果、校正作業の効率を向上できる。
【００９３】
なお、この発明は、上述した実施形態に限定されるものではなく、この発明の主旨を逸脱しない範囲で自由に変更できることは勿論である。
【００９４】
例えば、本実施の形態に係るクライアント装置（情報処理装置３２ａ等）は、本体部、表示部及び入力部が一体に構成されているが、複数の機器（例えば、校正者端末２４における、本体部２４ａ、表示部２４ｂ及び入力部２４ｃ）で構成されても本発明を適用できる。
【符号の説明】
【００９５】
１０…印刷物生産システム                  ２４…校正者端末
３２ａ、３２ｂ、４４…情報処理装置        ３８…デザイナ端末
５４…リモートサーバ                      ５６…オペレータ端末
６４…印刷物                              ７０…ファイルサーバ
８０…通信部                              ８４…表示制御部
８６…表示部                              ８８…筆記入力部
９０…筆記情報解釈部                      ９２…画像作成部
９８…モード選択部                        １００…関心領域指定部
１０２…テキスト入力部                    １０３…画像入力部
１０４…指定色入力部                      １０６…入力モード決定部
１１２…音声信号入力部                    １１４…音声情報出力部
１１６…関心領域解析部                    １２０…表示画面
１２２、１４８…校正画像                  １４０、１５２…関心領域
１４２、１５４…ウィンドウ
１４４、１４６、１５６、１５８…モードアイコン
１６６…注釈画像                          １７２…操作画像
【図１】
2012221393.tif 000003
【図２】
2012221393.tif 000004
【図３】
2012221393.tif 000005
【図４】
2012221393.tif 000006
【図５】
2012221393.tif 000007
【図６】
2012221393.tif 000008
【図７】
2012221393.tif 000009
【図８】
2012221393.tif 000010
【図９】
2012221393.tif 000011
【図１０】
2012221393.tif 000012